(57)【特許請求の範囲】
【請求項１】
複数の映像信号を所定期間毎に切り換えて出力する時分割出力回路と複数の映像信号を画面分割して出力する画面分割出力回路とを具備する映像信号処理装置において、
画面上の任意点における水平位置および垂直位置を記憶するメモリ手段と、
前記メモリ手段に記憶された画面上の水平位置および垂直位置を基点として設定される第１の領域内の映像信号の時間変化を検出する検出手段と、
前記メモリ手段に記憶された画面上の水平位置および垂直位置を基点として設定される第２の領域内の映像信号を抜き取って出力する出力手段とを具備し、
時分割出力回路が動作するときには、前記メモリ手段が映像信号の画面上の第１の任意点を記憶し前記検出手段が前記第１の領域内の時間変化を検出し、
画面分割出力回路が動作するときには、前記メモリ手段が映像信号の画面上の第２の任意点を記憶し前記出力手段が前記第２の領域内の映像信号を抜き取って出力する、ことを特徴とする映像信号処理装置。
【発明の詳細な説明】
【０００１】
【発明の属する技術分野】
本発明は、複数の監視用カメラからの映像信号を処理し、時分割多重記録や画面分割表示を行うマルチプレクサ等の映像信号処理装置に関する。
【０００２】
【従来の技術】
マルチプレクサは、複数の映像信号を所定期間毎に切り換えて、ビデオテープレコーダにフルサイズで時分割出力する時分割回路と、複数の映像信号を所定期間毎に切り換えて圧縮し、画面分割して一度にモニタに出力する画面分割回路を有している。
【０００３】
そして、時分割回路には、画面上に設けられた所定の領域内の映像信号の時間的変化を検出することにより、被写体の動きの有無を検出する画像センサーが設けられ、画面分割回路には、画面上に設けられた所定の領域内の映像信号を抜取り拡大して表示するズーム機能が設けられていた。
【０００４】
【発明が解決しようとする課題】
しかしながら、従来のマルチプレクサでは、画像センサーで使用する画面上の領域を設定する回路と、ズーム機能にて拡大表示する画面上の領域を設定する回路を、それぞれ別々に設けていたため、回路規模が大きくなり、よって安価に提供することができなかった。
【０００５】
本発明は、映像信号の動きを検出する画像センサーと、映像信号の所定の範囲を抜き取って出力する手段を有する映像信号処理回路の構成を、簡素化することを目的とする。
【０００６】
【課題を解決するための手段】
本発明は、上記課題を解決するために、複数の映像信号を所定期間毎に切り換えて出力する時分割出力回路と、複数の映像信号を画面分割して出力する画面分割出力回路とを具備する映像信号処理装置において、画面上の任意点における水平位置および垂直位置を記憶するメモリ手段と、前記メモリ手段に記憶された画面上の水平位置および垂直位置を基点として設定される第１の領域内の映像信号の時間変化を検出する検出手段と、前記メモリ手段に記憶された画面上の水平位置および垂直位置を基点として設定される第２の領域内の映像信号を抜き取って出力する出力手段とを具備し、時分割出力回路が動作するときには、前記メモリ手段が映像信号の画面上の第１の任意点を記憶し前記検出手段が前記第１の領域内の時間変化を検出し、画面分割出力回路が動作するときには、前記メモリ手段が映像信号の画面上の第２の任意点を記憶し前記出力手段が前記第２の領域内の映像信号を抜き取って出力する、ことを特徴とする映像信号処理装置を提供するものである。
【０００８】
【発明の実施の形態】
以下図面に従い、本発明の実施の形態について説明する。
図１は本発明の実施例である映像信号処理装置を示した機能ブロック図であり、時分割回路１および画面分割回路２を含んでいる。時分割回路１は、入力映像信号の輝度信号および色信号を時間圧縮して多重し、ビデオテープレコーダに出力する出力端子３を含む。また、画面分割回路２は、複数の入力映像信号をフィールド毎にメモりに記憶し、画面を分割してモニタに出力する出力端子を含む。
【０００９】
入力端子５ａ、５ｂ、５ｃ、５ｄから入力された複数の映像信号、つまりカメラ６ａ、６ｂ、６ｃ、６ｄからの映像信号は、セレクタ７に入力される。セレクタ７はマイクロコンピュータで構成された制御回路８からの切換信号に応じて制御され、所定間隔毎に（例えば１秒毎に）、入力された複数の映像信号の一つを選択的に出力する。そして、選択された映像信号は、ＡＤ変換器９によってデジタル変換される。
【００１０】
時分割回路１では、ＡＤ変換器９によってデジタル変換された映像信号を、フルサイズで第１ビデオＲＡＭ１０に書き込み、ＤＡ変換器１１によってアナログ変換し出力端子３より出力される。なお、セレクタ７に入力される複数の映像信号は、互いに非同期であるが、第１ビデオＲＡＭ１０により同期のずれが吸収される。
【００１１】
また、画面分割回路２では、ＡＤ変換器９によってデジタル変換された映像信号を、フィルタ回路１２にて間引き処理により縦２分の１、横２分の１である４分の１のサイズに縮小ズームする。そして、図２に示すように、４つの映像信号が１つの画面を構成するように第２ビデオＲＡＭ１３に書き込み、ＤＡ変換器１４によってアナログ変換し出力端子４より出力される。
【００１２】
一方、１５は時分割回路１に設けられた画像センサーであり、ＡＤ変換器９によってデジタル変換された映像信号のある部分を数フィールド分にわたって演算し、差分をとることにより被写体の動きを検出し、検出結果に応じて出力端子１６より警告信号を出力するものである。図３に示すように、画像センサー１５が動きを検出する検出領域３０は画面上に設けられ、その位置は検出領域開始位置Ａの水平位置をメモリ１７に、垂直位置をメモリ１８に設定することによって任意の位置に設定される。
【００１３】
先ず制御回路８は、セレクタ７の選択状況、ずなわちＡＤ変換器９から出力されている映像信号が検出領域３０が設けられたものであることを画像センサー１５知らせる。ＡＤ変換器９から出力されている映像信号が検出領域３０が設けられたものであるときにのみ、画像センサー１５は動作する。そして、セレクタ７から出力される映像信号から同期分離回路１９にて水平同期信号および垂直同期信号を分離し、映像信号の画面上の位置を示す水平カウンタ２０と垂直カウンタ２１を動作させ、比較回路２２は各カウンタの値がメモリ１７、１８の値とそれぞれの一致するのを検出し、一致したタイミングでパルスを画像センサー１５に出力する。画像センサー１５では、そのパルスを拠点として、所定範囲、例えば水平５ドット垂直２ラインの範囲で動き検出を行う。
【００１４】
画像センサー１５は、比較回路２２からのパルスを基にＡＤ変換器９の出力より前記所定範囲の映像信号を通過させるゲート１５ａを有し、ゲート１５ａを通過した映像信号は、同期分離回路１９からの垂直同期信号を入力し、数フィールド毎に切り替わるスイッチ１５ｂを通り、積分回路１５ｃ、１５ｄに入力させる。積分回路１５ｃ、１５ｄでは、それぞれ前記数フィールド分にわたって映像信号を積算し、比較回路１５ｅにて２つの積算結果を比較し、その差が所定値よりも大きければ動きがあると検出し、出力端子１６より警告信号を出力する。
【００１５】
また、画面分割回路２には、画像センサーの機能はないが、各画面を分割して出力する際に、画面上に設けられた所定の領域内の映像信号を抜取り拡大して表示するズーム機能が設けられている。通常はフィルタ回路１２にて間引き処理により縦２分の１、横２分の１である４分の１のサイズに縮小ズームされるが、図４に示すように４つの映像信号の内の１つ（図４ではカメラ６ａからの映像信号）に縦２分の１、横２分のズーム表示領域５０が設けられ、該領域内の映像信号をフィルタ回路１２にて間引き処理を行うことなく第２ビデオＲＡＭ１３に書き込むことにより拡大ズーム表示が行われる。ズーム表示領域５０の位置は、ズーム表示領域開始位置Ｂの水平位置をメモリ１７に、垂直位置をメモリ１８に設定することによって任意の位置に設定される。
【００１６】
具体的に説明すると、先ず制御回路８は、セレクタ７の選択状況、ずなわちＡＤ変換器９から出力されている映像信号がズーム表示領域５０が設けられたものであることをフィルタ１２及び書込制御回路２３に知らせる。ＡＤ変換器９から出力されている映像信号がズーム表示領域５０が設けられたものであるときは、フィルタ１２は間引き処理を行わない。そして、制御回路８は入力端子５ａ、５ｂ、５ｃ、５ｄの内、いづれか１つにズーム表示領域５０を設けるために、セレクタ７からその映像信号が出力される時にのみ該映像信号から同期分離回路１９にて水平同期信号および垂直同期信号を分離し、映像信号の画面上の位置を示す水平カウンタ２０と垂直カウンタ２１を動作させ、比較回路２２は各カウンタの値がメモリ１７、１８の値とそれぞれの一致するのを検出し、一致したタイミングでパルスを書込制御回路２３に出力する。書込制御回路２３は、第２ビデオＲＡＭ１３がそのパルスを拠点として特定されるズーム表示領域５０内の映像信号を書き込む様制御する。よって、ズーム表示領域５０が設定された映像信号は、縦横２倍に拡大ズームされて表示される。
【００１７】
なお、本実施例では、フィルタ１２の間引き処理を禁止することによりズーム倍率を縦横２倍としたが、フィルタ１２の間引き処理及び補間処理の設定により、任意のズーム倍率が設定できるということは言うまでもない。
【００１８】
【発明の効果】
本発明によれば、映像信号の動きを検出する画像センサーと、映像信号の所定の範囲を抜き取って出力する手段とで、水平および垂直位置を記憶したメモリを共用することにより、映像信号処理回路の構成を簡素化することができるので、低コストで映像信号処理回路を提供することができ、その効果は大である。
【図面の簡単な説明】
【図１】本発明の実施例を示した機能ブロック図である。
【図２】図１に示した本発明の実施例の動作を説明する説明図である。
【図３】図１に示した本発明の実施例の動作を説明する説明図である。
【図４】図１に示した本発明の実施例の動作を説明する説明図である。
【符号の説明】
１    時分割回路
２    画面分割回路
７    セレクタ
１０    第１ビデオＲＡＭ
１２    フィルタ
１３    第２ビデオＲＡＭ
１５    画像センサー
１７、１８    メモリ
１９    同期分離回路
２０    水平カウンタ
２１    垂直カウンタ
２２    比較回路
２３    書込制御回路
【図１】
0003668027.tif 000002
【図２】
0003668027.tif 000003
【図３】
0003668027.tif 000004
【図４】
0003668027.tif 000005